(57)【要約】【課題】  分岐器を玄関子機に装着する作業がし易く、また防水カバーを設けなくとも雨水から端子部を保護できる玄関子機と分岐器を備えた集合住宅インターホンシステムを提供する。【解決手段】  玄関子機５の背面に居室親機に接続する配線を結線する子機端子台３０と、分岐器６を係止する係止部３２を設ける一方、分岐器６の前面に制御機から配設された信号線及び居室親機に接続する信号線を結線する分岐器端子台と、玄関子機５に係止する係止片３８とを設け、分岐器６を玄関子機５に装着した状態で双方の間に下方に開放された配線空間３４が形成されるよう構成し、子機端子台３０と分岐器端子台は、配線空間３４内に配置した。【選択図】  図３
2008035408.tif 000002
【特許請求の範囲】
【請求項１】
来訪者が居住者を呼び出すために集合住宅のエントランスに設置された集合玄関機と、居住者を呼び出すために各居室の玄関先に設置された玄関子機と、各居室に設置されて前記集合玄関機や前記玄関子機からの呼び出しに応答するための居室親機と、管理人室に設置される管理室親機と、各機器の間の通話路を制御する制御機とを有し、前記玄関子機には、前記制御機から配設された信号線を前記居室親機に分岐接続するための分岐器が装着されて成る集合住宅インターホンシステムにおいて、
前記玄関子機の背面に、前記居室親機に接続する配線を結線する子機端子台と、前記分岐器を係止する係止部を設ける一方、前記分岐器の前面に、前記制御機から配設された信号線及び前記居室親機に接続する信号線を結線する分岐器端子台と、前記玄関子機に係止する係止片とを設け、
前記分岐器を前記玄関子機に装着した状態で双方の間に配線空間が形成され、前記子機端子台と前記分岐器端子台は、前記配線空間内に配置されることを特徴とする集合住宅インターホンシステム。
【請求項２】
前記配線空間は下方に開放されて成ることを特徴とする請求項１記載の集合住宅インターホンシステム。
【請求項３】
前記玄関子機は、装着した分岐器及び前記配線空間の上部を覆う蓋部材を有することを特徴とする請求項１または２記載の集合住宅インターホンシステム。
【請求項４】
前記係止片は下方からのスライド操作を受けて前記係止部に係止することを特徴とする請求項３に記載の集合住宅インターホンシステム。
【発明の詳細な説明】
【技術分野】
【０００１】
本発明は集合住宅インターホンシステムに関し、詳しくは個々の居室玄関に設置する玄関子機に制御機からの配線を分岐するための分岐器を組み付ける構成の集合住宅インターホンシステムに関する。
【背景技術】
【０００２】
集合住宅インターホンシステムでは、制御機から各居室へ向けて集合玄関機から伝送されてきた通話信号や映像信号を伝送するための幹線（信号線）が配設され、個々の居室に設置された居室親機へは夫々分岐器を用いて幹線から分岐された信号線が接続されている。この場合、分岐器は特許文献１に示すように、居室の入口である玄関に設置される玄関子機と一緒に設置される。この特許文献１では、分岐器（中継アダプタ）の端子台に制御機、居室親機の双方からの配線接続を行なってから、分岐器の端子台を背部に向けて玄関子機の背面に装着固定していた。
【特許文献１】特開２００３−２５９０２１号公報（第３図）
【発明の開示】
【発明が解決しようとする課題】
【０００３】
上記特許文献１に開示された玄関子機と分岐器の連結構造の場合、分岐器の端子台は装着後も露出するので結線状態の確認がし易かった。しかし、分岐器への配線接続作業は端子台を表に向けて行われるため、玄関子機への装着作業は分岐器を反転操作しなければならなかった。この場合、分岐器へ接続される配線の本数は最大１９本となるし、玄関子機を設置する際に使用される埋込ボックス内での狭い空間での作業となるため反転作業は面倒であった。また、反転することで接続した配線が捻れてしまい、メンテナンス等の際、接続線の判別が判りづらかった。
更に露出している分岐器端子台は、埋込ボックス内に浸入した雨水がかからないように分岐器専用の防水カバーが必要であった。
【０００４】
そこで、本発明はこのような問題点に鑑み、分岐器を玄関子機に装着する作業がし易く、また防水カバーを設けなくとも雨水から端子部を保護できる玄関子機と分岐器を備えた集合住宅インターホンシステムを提供することを目的としている。
【課題を解決するための手段】
【０００５】
上記課題を解決する為に、請求項１に記載の発明は、来訪者が居住者を呼び出すために集合住宅のエントランスに設置された集合玄関機と、居住者を呼び出すために各居室の玄関先に設置された玄関子機と、各居室に設置されて集合玄関機や玄関子機からの呼び出しに応答するための居室親機と、管理人室に設置される管理室親機と、各機器の間の通話路を制御する制御機とを有し、玄関子機には、制御機から配設された信号線を居室親機に分岐接続するための分岐器が装着されて成る集合住宅インターホンシステムにおいて、玄関子機の背面に、居室親機に接続する配線を結線する子機端子台と、分岐器を係止する係止部を設ける一方、分岐器の前面に、制御機から配設された信号線及び居室親機に接続する信号線を結線する分岐器端子台と、玄関子機に係止する係止片とを設け、分岐器を玄関子機に装着した状態で双方の間に配線空間が形成され、子機端子台と分岐器端子台は、配線空間内に配置されることを特徴とする。
この構成により、玄関子機に装着した分岐器の端子台は玄関子機の背面に面して配置されるので、結線作業をした状態のまま向きを変えることなく玄関子機へ装着操作でき、分岐器の取り回しが易い。また、配線が捻れて接続線の判別がし難くなるようなこともなくなる。
更に、分岐器端子台は、玄関子機の端子台と共に双方の間に形成される配線空間に配置されるので、結果として収納する埋込ボックスの背面から離れた位置となり、埋込ボックス内での配線の取り回しがし易くなる。また、双方の端子台に雨水が浸入し難い構造にでき、別途防水カバーを設ける必要がなくなる。
【０００６】
請求項２の発明は、請求項１に記載の発明において、配線空間は下方に開放されて成ることを特徴とする。
この構成により、下方から配線を導入及び送出するので上方及び側方を雨水が浸入し難い構造にできる。
【０００７】
請求項３の発明は、請求項１又は２に記載の発明において、玄関子機は、装着した分岐器及び配線空間の上部を覆う蓋部材を有することを特徴とする。
この構成により、玄関子機及び分岐器双方の端子台に雨水が浸入するのを防ぐことができる。
【０００８】
請求項４の発明は、請求項３に記載の発明において、係止片は下方からのスライド操作を受けて係止部に係止することを特徴とする。
この構成により、分岐器上部を蓋部材に挿入するような構成にできるので、双方の端子台を確実に雨水から護ることができる。
【発明の効果】
【０００９】
本発明によれば、玄関子機に装着した分岐器の端子台は玄関子機の背面に面して配置されるので、結線作業をした状態のまま向きを変えることなく玄関子機へ装着操作でき、分岐器の操作がし易い。また、配線が捻れて接続線の判別がし難くなるようなこともなくなる。更に、分岐器端子台は玄関子機の端子台と共に双方の間に形成される配線空間に配置されるので、結果として収納する埋込ボックスの背面から離れた位置となり、埋込ボックス内での配線の取り回しがし易くなる。また、双方の端子台に雨水が浸入し難い構造にでき、別途防水カバーを設ける必要がなくなる。
【発明を実施するための最良の形態】
【００１０】
以下、本発明を具体化した実施の形態を、図面に基づいて詳細に説明する。図１は、本発明にかかるインターホンシステムの一例を示す構成図であり、１は集合住宅のエントランスに設置されて来訪者が居住者を呼び出して通話を行うための集合玄関機、２は管理人室に設置されて居住者等と通話するための管理室親機、３は集合住宅内に設置されて各機器の間の通話路を制御する制御機、４は各居室に設置されて呼び出しに応答するための居室親機、５は各居室の玄関先に設置されて居住者を呼び出す玄関子機、６は制御機３から配設された信号線８を分岐する分岐器である。
【００１１】
図１に示すように、集合玄関機１は制御機３を経由して居室親機４、管理室親機２と接続され、各居室親機４は制御機３から配設された信号線８を分岐器６を用いて分岐することで接続されている。
【００１２】
集合玄関機１は、来訪者を撮像するカメラ１０、呼出先を選択する操作部１１、呼出ボタン、マイク及びスピーカから成る通話部を備え、玄関子機５は来訪者を撮像するカメラ１５、居住者を呼び出す呼出ボタン１６、マイク及びスピーカから成る通話部を備えている。また、管理室親機２は呼出先を選択する操作部１８、呼び出しに応答するためのハンドセット１９、そしてカメラ撮像映像を出画するモニタ２０を備え、居室親機４は呼び出しに応答するためのハンドセット２２、ハンズフリー通話を可能とする通話ボタン２３、カメラ１０，１５の撮像映像を出画するモニタ２４、マイク及びスピーカから成る通話部を備えている。
【００１３】
このように構成することで、来訪者は集合玄関機１を操作して訪問先の居住者を呼び出して通話することができるし、管理室親機２から居住者を呼び出して通話することができる。また、集合玄関子１や玄関子機５から呼び出しが成された際に、居室親機２においてカメラ１０，１５により撮像された来訪者映像をモニタ２４に出画させて確認することができる。
【００１４】
ここで、玄関子機５、分岐器６について詳しく説明する。分岐器６は、玄関子機５に装着して設置され、玄関子機５を設置するための埋込ボックス内に収容される。図２〜図４は玄関子機５と分岐器６の外観図であり、図２は分離した状態の斜視図、図３は同様に分離した状態で後方から見た斜視図、図４は玄関子機５に分岐器６を装着した状態の背面図を示している。また図２において、２６はマイク、２７はスピーカを示している。
【００１５】
玄関子機５は、図３に示すようにケース背面に居室親機４から配設された配線を接続する子機端子台３０と、分岐器６を収容する収容空間３１を有し、収容空間３１を囲む左右夫々２箇所に収容した分岐器６を係止する係止部３２が設けられている。尚、収容空間３１は、分岐器６の寸法に合わせて形成されている。
【００１６】
更に、収容空間３１の上部には装着した分岐器６の上部を覆う蓋部材としての蓋板３３が庇状に後方に突設されている。この蓋板３３は、周囲に垂下形成した枠辺３３ａを備え、分岐器６の上部を閉塞するよう形成されている。
また、収容空間３１内の下部には玄関子機５前方に向けて凹状に形成した配線空間３４が形成されている。この配線空間３４は、後述する分岐器６の端子台が配置される部位から玄関子機５の開放された下端に亘る広さを備えている。玄関子機５の端子台３０は、この配線空間３４内に配置され、後方から電線を挿入して結線する速結端子として形成されている。尚、図３に示す３５は雨水の下方からの浸入（吹き上げ）を阻止するための防護壁である。
【００１７】
一方、分岐器６は、ケースが略長方形状の箱体で形成され、図２に示すように制御機３から配設された信号線８を接続すると共に、居室親機４へ接続する信号線９を接続する分岐器端子台３７が前面に設けられている。分岐器６は平坦な前面６ａを有し、この前面６ａから一段下げて分岐器端子台３７が形成されている。そして、分岐器端子台３７は、分岐器６の下端に亘り設けられ、下方は開放された形状となっている。尚、分岐器端子台３７は、前方から電線を挿入するだけで結線できる速結端子で形成されている。
また、分岐器６の左右側面には、玄関子機５に係止する係止片３８が玄関子機５の係止部３２に対応した部位に計４箇所設けられ、この側面は下方に亘り一様な幅で形成され、下部側面は分岐器端子台３７に接続する配線を案内する案内壁３９としての作用を奏している。
【００１８】
図４の背面図において（ｂ）はＡ部拡大図を示している。この拡大図に示すように、係止片３８は、下部に係止段部３８ａ、上部に傾斜面を設けたテーパ部３８ｂを有し、下方から分岐器６を上方にスライド操作することで係止片３８が係止部３２にスムーズに係止動作するよう形成されている。
【００１９】
次に、上記構成の玄関子機５と分岐器６との装着操作について説明する。玄関子機５の子機端子台３０へ居室親機４からの配線が接続されると共に、分岐器端子台３７へ制御機３と居室親機４からの配線が接続されたら、双方に接続した配線が開放された下方から送出されるようまとめ、装着操作に入る。
装着は、玄関子機５の下方から分岐器６をスライド操作して行う。分岐器６の係止片３８を備えた端子台形成面を前面にして（玄関子機５に向けて）上方へ押し上げることにより、係止片３８上部のテーパ部３８ｂが係止部３２上を摺動して移動し、やがて係止段部３８ａが係止部の端部に係止動作する。このとき、分岐器６の上端部は蓋板３３内に挿入され、蓋板３３の上面に当接してスライド操作は規制され、装着操作は終了となる。こうして、収容空間３１上部に設けた蓋板３３の中に分岐器６が入り込み分岐器６上部は閉塞される。また、スライドする際、玄関子機５に設けた案内壁３９により、配線が下方に案内されるので、左右に飛び出すのを防ぐことができ、スムーズに装着操作できる。
【００２０】
このように、玄関子機に装着した分岐器の端子台は玄関子機の背面に面して配置されるので、結線作業をした状態のまま向きを変えることなく玄関子機へ装着操作でき、分岐器の操作がし易い。また、配線が捻れて接続線の判別がし難くなるようなこともなくなる。
更に、分岐器端子台は玄関子機の端子台と共に双方の間に形成される配線空間に配置され、下方から配線を導入及び送出するので、上方及び側方を雨水が浸入し難い構造にでき、別途防水カバーを設ける必要がなくなる。
そして、玄関子機に設けた蓋板により配線空間上部を閉塞することで、玄関子機及び分岐器双方の端子台に雨水が浸入するのを防ぐことができるし、スライド操作で分岐器上部を蓋板に挿入するので、分岐器上部を閉塞でき、双方の端子台を確実に雨水から護ることができる。
【００２１】
また、図５、図６は分岐器を装着した状態の玄関子機を示し、図５は後方から見た斜視図、図６は壁面に施工した様子を示す側面図を示している。図５に示すように、装着により形成された配線空間３４は下方に開放されて形成され、接続した配線を送出し易くなっている。また、図６において４１は配線、４２は埋込ボックス、４３は壁面を示し、配線空間３４内で玄関子機５及び分岐器６に接続されて下方から引き出された配線４１は、埋込ボックス４２の配線挿通孔から引き出される。
この図６に示すように、配線は玄関子機５と分岐器６の間から引き出されるため、分岐器端子台３７は、結果として収納する埋込ボックス４２の背面から離れた位置となり、埋込ボックス４２内での配線の取り回しがし易くなる。具体的に、図６に示すように配線を上方に引き出す場合、従来の分岐器６の背面に端子台を設けた構成に比べて分岐器６の配線は、玄関子機に接続する配線と同様に折り曲げ角度を大きく取ることができ、配線のストレスを軽減でき、埋込ボックス４２内での配線４１の取り回しが容易になる。これは、逆に玄関子機に分岐器を加えた厚みが埋込ボックスの深さ程度まであっても配線を無理なく実施できることを示し、埋込ボックス内を有効に利用できる。
【００２２】
尚、上記実施形態では、係止片３８を分岐器６に設けているが、玄関子機５側に係止片３８を設けても良い。この場合、係止片３８は下側にテーパ部３８ｂが設けられ、分岐器６には係止片３８を係止する段部を設ければよい。
また、分岐器６は下方からスライド挿入して装着する構成となっているが、後方から押圧挿入する構成としても良く、分岐器６の上端を蓋板３３に挿入する操作をしながら、後方から押圧操作して組み付ける構造としても配線空間３４の上部を良好に閉塞することは可能である。この場合、係止部と係止片は前後方向に係止するよう形成される。
更に、分岐器６は玄関子機５の背部の上下に亘る大きさを有しているが、半分程度の大きさで作製することも可能であり、この場合、玄関子機５のケース下部に凹部を設けて収容空間を形成し、分岐器６を収容するよう構成できる。この場合、玄関子機ケース下面を蓋板と兼用でき、別途蓋板を突設する必要が無くなる。
【図面の簡単な説明】
【００２３】
【図１】本発明の実施形態の一例を示す集合住宅インターホンシステムの構成図である。
【図２】玄関子機と分岐器の外観図である。
【図３】図２の玄関子機と分岐器を後方から見た斜視図である。
【図４】（ａ）は玄関子機に分岐器を装着した状態の背面図、（ｂ）はＡ部拡大図である。
【図５】玄関子機に分岐器を装着した状態を後方から見た斜視図である。
【図６】玄関子機を施工した状態の断面説明図である。
【符号の説明】
【００２４】
１・・集合玄関機、２・・管理室親機、３・・制御機、４・・居室親機、５・・玄関子機、６・・分岐器、８・・信号線、３０・・子機端子台、３１・・収容空間、３２・・係止部、３３・・蓋板（蓋部材）、３４・・配線空間、３７・・分岐器端子台、３８・・係止片、３９・・案内壁。
【図１】
2008035408.tif 000003
【図２】
2008035408.tif 000004
【図３】
2008035408.tif 000005
【図４】
2008035408.tif 000006
【図５】
2008035408.tif 000007
【図６】
2008035408.tif 000008